(57)【要約】【課題】コネクタの製造工程においてはレバーの組み込みを容易にする一方で、レバーの組み込み完了後においてはレバーがハウジングから外れにくい構造を備えるコネクタを提供する。【解決手段】コネクタ１００は、ハウジング１５０と、レバー５００とを備えている。ハウジング１５０は、内側部３２０と、外側部３４０と、連結部３６０と、軸部２１０と、第１部位３７０と、第２部位３８０とを有している。連結部３６０は、外側部３４０の外側被連結部３４２と内側部３２０の内側被連結部３２２とを互いに連結している。連結部３６０は、弾性変形可能なブリッジ部３６４を有している。第１部位３７０、第２部位３８０及びブリッジ部３６４の夫々は、第２方向において、外側部３４０から離れて且つ外側部３４０よりも内側に位置している。第２方向と直交する面内において、ブリッジ部３６４は、第１部位３７０と第２部位３８０との間に挟まれている。【選択図】図４
2019016445.tif 000002
【特許請求の範囲】
【請求項１】
ハウジングと、レバーとを備えるコネクタであって、
前記コネクタは、前記レバーの操作によって、相手側コネクタと第１方向に沿って嵌合及び抜去することが可能となっており、
前記ハウジングは、内側部と、外側部と、少なくとも一つの連結部と、軸部と、第１部位と、第２部位とを有しており、
前記外側部には、少なくとも一つの外側被連結部が設けられており、
前記外側部は、前記第１方向と直交する第２方向において、前記内側部から離れて且つ前記内側部よりも外側に位置しており、
前記第２方向における前記外側部と前記内側部との間には、前記レバーを部分的に収容するレバー収容部が形成されており、
前記軸部は、前記レバー収容部内に位置しており
前記軸部は、前記レバーを回転移動可能となるように支持しており、
前記内側部には、少なくとも一つの内側被連結部が設けられており、
前記第１部位及び前記第２部位の夫々は、前記第２方向において、前記外側部から離れて且つ前記外側部よりも内側に位置しており、
前記少なくとも一つの連結部は、前記少なくとも一つの外側被連結部と前記少なくとも一つの内側被連結部とを互いに連結しており、
前記少なくとも一つの連結部は、弾性変形可能なブリッジ部を有しており、
前記ブリッジ部は、前記第２方向において、前記外側部から離れて且つ前記外側部よりも内側に位置しており、
前記第２方向と直交する面内において、前記ブリッジ部は、前記第１部位と前記第２部位との間に挟まれており、
前記第１部位は、貫通孔である
コネクタ。
【請求項２】
請求項１記載のコネクタであって、
前記少なくとも一つの外側被連結部と前記少なくとも一つの内側被連結部とは、第２方向と直交する方向において互いに離れて位置している
コネクタ。
【請求項３】
請求項２記載のコネクタであって、
前記ハウジングは、前記相手側コネクタと嵌合する嵌合端を有しており、
前記少なくとも一つの外側被連結部は、前記第１方向において前記少なくとも一つの内側被連結部よりも前記嵌合端に近い
コネクタ。
【請求項４】
請求項３記載のコネクタであって、
前記第１方向及び前記第２方向の双方と直交する第３方向において、前記第１部位は、前記第２部位よりも前記軸部に近い
コネクタ。
【請求項５】
請求項２から請求項４までのいずれかに記載のコネクタであって、
前記少なくとも一つの連結部は、延設部を更に有しており、
前記延設部は、前記少なくとも一つの外側被連結部から前記第２方向において内側に向かって延びており、
前記ブリッジ部は、前記第２方向と交差する平板形状を有しており、
前記ブリッジ部は、前記延設部と前記少なくとも一つの内側被連結部とを互いに接続している
コネクタ。
【請求項６】
請求項１から請求項５までのいずれかに記載のコネクタであって、
前記第２部位は、貫通孔である
コネクタ。
【請求項７】
請求項１から請求項６までのいずれかに記載のコネクタであって、
前記少なくとも一つの連結部は、２つあり、
前記少なくとも一つの外側被連結部は、２つあり、
前記少なくとも一つの内側被連結部は、２つあり、
前記連結部は、夫々、前記外側被連結部と前記内側被連結部とを連結しており、
前記レバー収容部は、前記第１方向及び前記第２方向の双方と直交する第３方向において、前記連結部の間に位置している
コネクタ。
【請求項８】
請求項１から請求項７までのいずれかに記載のコネクタであって、
前記ハウジングは、前記相手側コネクタと嵌合する嵌合端を有しており、
前記外側部には、溝部が設けられており、
前記溝部は、前記第１方向と交差するように延びており、
前記溝部は、前記第１方向において前記嵌合端と前記軸部との間に位置している
コネクタ。
【請求項９】
請求項８記載のコネクタであって、
前記溝部は、前記第２方向において前記外側部を貫通している
コネクタ。
【請求項１０】
請求項１から請求項９までのいずれかに記載のコネクタであって、
前記コネクタは、端子を備えており、
前記ハウジングは、第１ハウジングと、第２ハウジングとを備えており、
前記第１ハウジングは、前記端子を保持しており、
前記第２ハウジングは、前記第１ハウジングに取り付けられており、
前記外側被連結部と、前記内側被連結部と、前記連結部とは、前記第２ハウジングに設けられている
コネクタ。
【請求項１１】
請求項１０記載のコネクタであって、
前記レバー収容部は、前記第２方向において前記第１ハウジングと前記第２ハウジングとの間に設けられており、
前記軸部は、前記第２方向において外側に延びており、
前記レバーは、軸受部と、軸ガイド部と、外周部とを有しており、
前記軸受部は、前記第２方向と直交する方向において前記外周部から離れて位置しており、
前記軸受部は、前記第２方向に凹んでおり、
前記軸受部は、前記軸部を受容しており、
前記軸ガイド部は、前記第２方向と直交する方向において前記レバーの前記外周部から前記軸受部まで延びる溝である
コネクタ。
【請求項１２】
請求項１１記載のコネクタであって、
前記軸ガイド部は、前記第２方向と直交する平面と交差するガイド面を有している
コネクタ。
【発明の詳細な説明】
【技術分野】
【０００１】
本発明は、レバーを回転させて相手側コネクタと嵌合抜去可能なコネクタに関する。
【背景技術】
【０００２】
図３１及び図３２を参照すると、特許文献１には、ハウジング９１０と、レバー９２０とを備えるコネクタ９００が開示されている。ハウジング９１０には、レバー収容部９１２と、軸受け（軸部）９１４とが設けられている。レバー収容部９１２は、レバー９２０を部分的に収容している。軸部９１４は、レバー収容部９１２内に位置している。レバー９２０は、軸部９１４の周りに回転移動可能となるように、軸部９１４に支持されている。コネクタ９００は、レバー９２０の操作によって、相手側コネクタ９５０と上下方向（Ｚ方向）に沿って嵌合及び抜去することができる。
【先行技術文献】
【特許文献】
【０００３】
【特許文献１】特開２００８−２０４７１８号公報
【発明の概要】
【発明が解決しようとする課題】
【０００４】
特許文献１のコネクタ９００のようなレバーを有するコネクタの製造工程においては、レバーを、ハウジングの外側の壁を押し広げつつレバー収容部に押し込んでハウジングに組み込む。従って、レバーの組み込みを容易とするためには、ハウジングの外側の壁が変形しやすくなっていることが好ましい。一方、レバーの組み込みの完了後においてもハウジングの外側の壁が過剰に変形しやすい場合、レバーがハウジングから外れやすくなるため好ましくない。
【０００５】
よって本発明は、コネクタの製造工程においてはレバーの組み込みを容易にする一方で、レバーの組み込み完了後においてはレバーがハウジングから外れにくい構造を備えるコネクタを提供することを目的とする。
【課題を解決するための手段】
【０００６】
本発明は、第１のコネクタとして、
ハウジングと、レバーとを備えるコネクタであって、
前記コネクタは、前記レバーの操作によって、相手側コネクタと第１方向に沿って嵌合及び抜去することが可能となっており、
前記ハウジングは、内側部と、外側部と、少なくとも一つの連結部と、軸部と、第１部位と、第２部位とを有しており、
前記外側部には、少なくとも一つの外側被連結部が設けられており、
前記外側部は、前記第１方向と直交する第２方向において、前記内側部から離れて且つ前記内側部よりも外側に位置しており、
前記第２方向における前記外側部と前記内側部との間には、前記レバーを部分的に収容するレバー収容部が形成されており、
前記軸部は、前記レバー収容部内に位置しており
前記軸部は、前記レバーを回転移動可能となるように支持しており、
前記内側部には、少なくとも一つの内側被連結部が設けられており、
前記第１部位及び前記第２部位の夫々は、前記第２方向において、前記外側部から離れて且つ前記外側部よりも内側に位置しており、
前記少なくとも一つの連結部は、前記少なくとも一つの外側被連結部と前記少なくとも一つの内側被連結部とを互いに連結しており、
前記少なくとも一つの連結部は、弾性変形可能なブリッジ部を有しており、
前記ブリッジ部は、前記第２方向において、前記外側部から離れて且つ前記外側部よりも内側に位置しており、
前記第２方向と直交する面内において、前記ブリッジ部は、前記第１部位と前記第２部位との間に挟まれており、
前記第１部位は、貫通孔である
コネクタを提供する。
【０００７】
また、本発明は、第２のコネクタとして、第１のコネクタであって、
前記少なくとも一つの外側被連結部と前記少なくとも一つの内側被連結部とは、第２方向と直交する方向において互いに離れて位置している
コネクタを提供する。
【０００８】
また、本発明は、第３のコネクタとして、第２のコネクタであって、
前記ハウジングは、前記相手側コネクタと嵌合する嵌合端を有しており、
前記少なくとも一つの外側被連結部は、前記第１方向において前記少なくとも一つの内側被連結部よりも前記嵌合端に近い
コネクタを提供する。
【０００９】
また、本発明は、第４のコネクタとして、第３のコネクタであって、
前記第１方向及び前記第２方向の双方と直交する第３方向において、前記第１部位は、前記第２部位よりも前記軸部に近い
コネクタを提供する。
【００１０】
また、本発明は、第５のコネクタとして、第２から第４までのいずれかのコネクタであって、
前記少なくとも一つの連結部は、延設部を更に有しており、
前記延設部は、前記少なくとも一つの外側被連結部から前記第２方向において内側に向かって延びており、
前記ブリッジ部は、前記第２方向と交差する平板形状を有しており、
前記ブリッジ部は、前記延設部と前記少なくとも一つの内側被連結部とを互いに接続している
コネクタを提供する。
【００１１】
また、本発明は、第６のコネクタとして、第１から第５までのいずれかのコネクタであって、
前記第２部位は、貫通孔である
コネクタを提供する。
【００１２】
また、本発明は、第７のコネクタとして、第１から第６までのいずれかのコネクタであって、
前記少なくとも一つの連結部は、２つあり、
前記少なくとも一つの外側被連結部は、２つあり、
前記少なくとも一つの内側被連結部は、２つあり、
前記連結部は、夫々、前記外側被連結部と前記内側被連結部とを連結しており、
前記レバー収容部は、前記第１方向及び前記第２方向の双方と直交する第３方向において、前記連結部の間に位置している
コネクタを提供する。
【００１３】
また、本発明は、第８のコネクタとして、第１から第７までのいずれかのコネクタであって、
前記ハウジングは、前記相手側コネクタと嵌合する嵌合端を有しており、
前記外側部には、溝部が設けられており、
前記溝部は、前記第１方向と交差するように延びており、
前記溝部は、前記第１方向において前記嵌合端と前記軸部との間に位置している
コネクタを提供する。
【００１４】
また、本発明は、第９のコネクタとして、第８のコネクタであって
前記溝部は、前記第２方向において前記外側部を貫通している
コネクタを提供する。
【００１５】
また、本発明は、第１０のコネクタとして、第１から第９までのいずれかのコネクタであって、
前記コネクタは、端子を備えており、
前記ハウジングは、第１ハウジングと、第２ハウジングとを備えており、
前記第１ハウジングは、前記端子を保持しており、
前記第２ハウジングは、前記第１ハウジングに取り付けられており、
前記外側被連結部と、前記内側被連結部と、前記連結部とは、前記第２ハウジングに設けられている
コネクタを提供する。
【００１６】
また、本発明は、第１１のコネクタとして、第１０のコネクタであって、
前記レバー収容部は、前記第２方向において前記第１ハウジングと前記第２ハウジングとの間に設けられており、
前記軸部は、前記第２方向において外側に延びており、
前記レバーは、軸受部と、軸ガイド部と、外周部とを有しており、
前記軸受部は、前記第２方向と直交する方向において前記外周部から離れて位置しており、
前記軸受部は、前記第２方向に凹んでおり、
前記軸受部は、前記軸部を受容しており、
前記軸ガイド部は、前記第２方向と直交する方向において前記レバーの前記外周部から前記軸受部まで延びる溝である
コネクタを提供する。
【００１７】
また、本発明は、第１２のコネクタとして、第１１のコネクタであって、
前記軸ガイド部は、前記第２方向と直交する平面と交差するガイド面を有している
コネクタを提供する。
【発明の効果】
【００１８】
本発明のコネクタにおいては、内側部と外側部とが連結部により連結されており、ブリッジ部、第１部位及び第２部位が第２方向において外側部から離れて且つ外側部よりも内側に位置している。また、連結部のブリッジ部は、第２方向と直交する面内において第１部位と第２部位との間に挟まれている。これにより、外側部は、ブリッジ部の変形を利用して第２方向外側への撓みが許容される一方、過度な変形が抑制されている。よって、コネクタの製造工程においてレバーをハウジングに組み込む際には、レバーの組み込みが容易となっており、また、レバーの組み込み完了後においては、レバーがハウジングから外れにくくなっている。
【図面の簡単な説明】
【００１９】
【図１】本発明の実施の形態によるコネクタ及び相手側コネクタを示す斜視図である。ここで、コネクタと相手側コネクタとは互いに嵌合していない。また、コネクタのレバーは第１位置に位置している。
【図２】図１のコネクタ及び相手側コネクタを示す側面図である。
【図３】図１のコネクタを示す正面図である。
【図４】図１のコネクタにおいてカバーを除いた構造体を示す斜視図である。ここで、レバーは第２位置に位置している。
【図５】図４のコネクタを示す正面図である。
【図６】図４のコネクタを示す上面図である。
【図７】図４のコネクタを示す底面図である。
【図８】図４のコネクタを示す側面図である。
【図９】図４のコネクタを示す別の斜視図である。ここで、レバーは第３位置に位置している。
【図１０】図４の構造体においてレバーを除いた構造体を示す斜視図である。
【図１１】図１０のコネクタを示す正面図である。
【図１２】図１０のコネクタを示す背面図である。
【図１３】図１０のコネクタを示す側面図である。
【図１４】図１３のコネクタ本体をＡ−Ａ線に沿って示す断面図である。
【図１５】図１３のコネクタ本体をＢ−Ｂ線に沿って示す断面図である。
【図１６】図１３のコネクタ本体をＣ−Ｃ線に沿って示す断面図である。
【図１７】図１０の構造体に含まれる第２ハウジングを示す斜視図である。
【図１８】図１７の第２ハウジングを示す正面図である。
【図１９】図１７の第２ハウジングを示す上面図である。
【図２０】図１７の第２ハウジングを示す背面図である。
【図２１】図１７の第２ハウジングを示す側面図である。
【図２２】図１０の構造体に含まれる第１ハウジングを示す斜視図である。
【図２３】図２２の第１ハウジング示す正面図である。
【図２４】図４の構造体に含まれるレバーを示す斜視図である。
【図２５】図２４のレバーを示す正面図である。
【図２６】図１０の構造体にレバーを取り付ける手順を説明するための側面図である。ここで、構造体にレバーは取り付けられていない。
【図２７】図２６の構造体をＤ−Ｄ線に沿って示す断面図である。
【図２８】図１０の構造体にレバーを取り付ける手順を説明するための別の側面図である。ここで、構造体のハウジングの第１ハウジングの軸部は、レバーの歯車部の軸ガイド部のガイド面とＺ方向において接触している。
【図２９】図２８の構造体をＥ−Ｅ線に沿って示す断面図である。
【図３０】図１０の構造体の変形例を示す斜視図である。
【図３１】特許文献１のコネクタ及び相手側コネクタを示す斜視図である。ここで、コネクタと相手側コネクタとは互いに嵌合していない。
【図３２】図３１のコネクタを示す断面図である。
【発明を実施するための形態】
【００２０】
図１から図３までに示されるように、本発明の実施の形態によるコネクタ１００は、ハウジング１５０と、複数の端子６００と、レバー５００と、２つのスライダ６２０と、カバー６５０とを備えている。本実施の形態のコネクタ１００は、レバー５００の操作によって、相手側コネクタ７００と第１方向に沿って嵌合及び抜去することが可能となっている。本実施の形態において、第１方向は、上下方向である、図において、上下方向はＺ方向として示される。特に、上方を＋Ｚ方向、下方を−Ｚ方向とする。
【００２１】
図１に示されるように、本実施の形態の相手側コネクタ７００は、第２方向外側に突出した６つのカム突起７１０と、複数の相手側端子７２０とを有している。本実施の形態において、第２方向は、左右方向である。図において、左右方向はＹ方向として示される。特に、右方を−Ｙ方向、左方を＋Ｙ方向とする。より詳しくは、本実施の形態のカム突起７１０は、相手側コネクタ７００の左側の面、即ち＋Ｙ側の面に３つ、右側の面、即ち−Ｙ側の面に３つ設けられている。
【００２２】
図１０から図１６までを参照すると、本実施の形態のハウジング１５０は、絶縁体からなる。本実施の形態のハウジング１５０は、第１ハウジング２００と、第２ハウジング３００とを備えている。第２ハウジング３００は、第１ハウジング２００に取り付けられている。ハウジング１５０は、相手側コネクタ７００と嵌合する嵌合端１５２を有している。
【００２３】
図２２及び図２３に示されるように、本実施の形態の第１ハウジング２００は、上下方向に延びる概略直方体形状を有している。より詳しくは、第１ハウジング２００を上方から見た場合、左右方向と平行な２つの短辺と、第３方向と平行な２つの長辺とを有する角丸長方形形状を有している。本実施の形態において、第３方向は、前後方向である。図において、前後方向はＸ方向として示される。特に、前方を＋Ｘ方向、後方を−Ｘ方向とする。図から理解されるように、第１ハウジング２００の左側の面及び右側の面の夫々は、長辺を含む面であり、第１ハウジング２００の前面、即ち＋Ｘ側の面及び後面、即ち−Ｘ側の面の夫々は、短辺を含む面である。
【００２４】
図２２及び図２３に示されるように、本実施の形態の第１ハウジング２００は、底部１５２と、２つの軸部２１０と、複数の端子収容部２２０と、４つのブリッジ部収容部２３０と、４つの第１突出部２４０と、４つの第２突出部２５０と、突起２６０，２６１とを有している。
【００２５】
図２２及び図２３に示されるように、本実施の形態の底部１５２は、上下方向において第１ハウジング２００の下端に位置している。ここで、第１ハウジング２００の底部１５２は、ハウジング１５０の嵌合端１５２として機能する。
【００２６】
図２２及び図２３に示されるように、本実施の形態の軸部２１０は、第１ハウジング２００の上方であって、前後方向中央付近に位置している。軸部２１０は、左右方向、即ち第２方向において外側に延びている。より具体的には、左側の軸部２１０は、第１ハウジング２００の左側の面から左方向に延びており、右側の軸部２１０は、第１ハウジング２００の右側の面から右方向に延びている。軸部２１０は、左右方向と平行な中心軸を有している。第１ハウジング２００の２つの軸部２１０の中心軸は、互いに一致している。後述するように、軸部２１０は、レバー５００を、回転移動可能となるように支持している。
【００２７】
図２２及び図２３に示されるように、本実施の形態の端子収容部２２０は、上下方向に第１ハウジング２００を貫通する孔である。
【００２８】
図２２及び図２３に示されるように、本実施の形態のブリッジ部収容部２３０の夫々は、左右方向において内側に凹んでいる。ブリッジ部収容部２３０は、上方及び左右方向外側に開口している。より詳しくは、ブリッジ部収容部２３０は、前後方向において対向する２つの内壁と、上下方向と直交する下壁と、左右方向外側に向いた内面とを有している。ブリッジ部収容部２３０は、第１ハウジング２００の左右方向外側に向いた面において、前後方向の両端近傍に夫々位置している。即ち、ブリッジ部収容部２３０のうちの２つは、第１ハウジング２００の左側の面の上方であって前後方向の両端近傍に夫々位置しており、ブリッジ部収容部２３０のうちの残り２つは、第１ハウジング２００の右側の面の上方であって前後方向の両端近傍に位置している。
【００２９】
図２２及び図２３に示されるように、本実施の形態の第１突出部２４０の夫々は、第１ハウジング２００を左右方向外側から見た場合、第１方向と平行な２つの短辺と、第３方向と平行な２つの長辺とで構成される外周を有している。第１突出部２４０の夫々は、左右方向において外側に突出している。より具体的には、第１突出部２４０はブリッジ部収容部２３０と夫々対応しており、対応するブリッジ部収容部２３０の前後方向内側に位置している。ブリッジ部収容部２３０の前後方向内側に位置する内壁は、第１突出部２４０の前後方向外側の外端面である。
【００３０】
図２２及び図２３に示されるように、本実施の形態の第２突出部２５０の夫々は、第１ハウジング２００を左右方向外側から見た場合、第１方向と平行な２つの辺と、第３方向と平行な２つの辺とで構成される外周を有している。第２突出部２５０の夫々は、左右方向において外側に突出している。より具体的には、第２突出部２５０はブリッジ部収容部２３０と夫々対応しており、対応するブリッジ部収容部２３０の前後方向外側に位置している。ブリッジ部収容部２３０の前後方向外側に位置する内壁は、第２突出部２５０の前後方向内側の外端面である。
【００３１】
図２２及び図２３に示されるように、本実施の形態の突起２６０，２６１は、軸部２１０と夫々対応しており、上下方向において対応する軸部２１０の上方に位置している。突起２６０，２６１は、第１ハウジング２００の最上部を構成している。突起２６０，２６１は、左右方向内側に向いた内面を有している。
【００３２】
図１７から図２１までに示されるように、本実施の形態の第２ハウジング３００は、天板部３１０と、２つの内側部３２０と、２つの外側部３４０と、４つの連結部３６０と、２つの第１部位３７０と、４つの第２部位３８０と、４つの接続部３９０と、４つの連携部３９５と、側壁４３０，４４０と、２つのレバー収容部４００と、２つのスライダ収容部４２０とを有している。
【００３３】
図１７から図２１までに示されるように、本実施の形態の天板部３１０は、上下方向と直交する平板形状を有している。より詳しくは、天板部３１０を上方から見た場合、左右方向と平行な２つの短辺と、前後方向と平行な２つの長辺とを有する角丸長方形形状を有している。天板部３１０には、複数の孔３１２が設けられている。孔３１２は、天板部３１０を上下方向に貫通している。孔３１２は、第１ハウジング２００の端子収容部２２０と夫々対応している。孔３１２と、対応する端子収容部２２０とは、ＸＹ平面において互いに同じ位置に位置している。即ち、孔３１２と、対応する端子収容部２２０とは、上下方向において互いに連通している。
【００３４】
図１７から図２１までに示されるように、内側部３２０は、天板部３１０の左右方向両端に夫々位置している。内側部３２０の夫々は、２つの内側側部３２１と、内側主部３２３とを有している。内側側部３２１の夫々は、前後方向に延びている。左側の内側部３２０の内側側部３２１の夫々は、天板部３１０の左端から左右方向外側に突出している。右側の内側部３２０の内側側部３２１の夫々は、天板部３１０の右端から左右方向外側に突出している。内側主部３２３は、左右方向外側に向いた外面を有している。内側主部３２３は、前後方向において内側側部３２１の間に位置している。内側主部３２３は、左右方向において内側側部３２１よりも内側に位置している。より具体的には、内側主部３２３の外面は、左右方向において内側側部３２１の左右方向外端よりも内側に位置している。
【００３５】
図１７から図２１までに示されるように、本実施の形態の内側部３２０の夫々には、２つの内側被連結部３２２が設けられている。内側部３２０の２つの内側被連結部３２２には、２つの連結部３６０が夫々連結されている。より具体的には、内側部３２０の内側側部３２１の夫々の下端の一部が、内側被連結部３２２として機能する。
【００３６】
図１０から図１６までに示されるように、第２ハウジング３００の内側部３２０の内側主部３２３は、第１ハウジング２００の突起２６０，２６１と夫々対応している。内側主部３２３は、左右方向において対応する突起２６０，２６１と対向している。より詳しくは、内側主部３２３の外面は、左右方向において対応する突起２６０，２６１の内面と接触している。
【００３７】
図１７から図２１までに示されるように、本実施の形態の外側部３４０は、第２ハウジング３００の左右方向両端に夫々位置している。本実施の形態の外側部３４０の夫々は、左右方向と直交する平板形状を有している。外側部３４０は、前後方向と直交する平面であって外側部３４０の前後方向における中央を通る平面に対して対称な形状を有している。より具体的には、外側部３４０は、２つの外側側部３５０と、外側主部３５２とを有している。
【００３８】
図２１に示されるように、外側側部３５０の夫々は、左右方向と直交する長方形形状を有している。外側側部３５０は、外側部３４０の前後方向両側に夫々位置している。即ち、外側側部３５０は、外側部３４０の前後方向両端を構成している。
【００３９】
図２１に示されるように、外側主部３５２は、左右方向と直交する平板形状を有している。外側主部３５２の上端は、上下方向において外側側部３５０の上端よりも上方に位置している。また、外側主部３５２の上端は、上下方向において天板部３１０の上端よりも下方に位置している。
【００４０】
図１７、図１９及び図２１に示されるように、外側主部３５２は、前後方向において２つの外側側部３５０に挟まれている。即ち、外側主部３５２の前端は、前側の外側側部３５０の後端と接続されており、外側主部３５２の後端は、後側の外側側部３５０の前端と接続されている。
【００４１】
図１７から図２１までを参照すると、本実施の形態の外側部３４０は、左右方向、即ち第２方向において、内側部３２０から離れて且つ内側部３２０よりも外側に位置している。より具体的には、本実施の形態の外側部３４０は内側部３２０と夫々対応しており、外側部３４０の夫々は、左右方向において、対応する内側部３２０から離れて且つ対応する内側部３２０よりも外側に位置している。外側部３４０の外側主部３５２は、左右方向において、対応する内側部３２０の内側主部３２３から離れて且つ対応する内側部３２０の内側主部３２３よりも外側に位置している。また、外側部３４０の外側側部３５０と、対応する内側部３２０の内側側部３２１とは、夫々対応している。外側側部３５０の夫々は、左右方向において、対応する内側側部３２１から離れて且つ対応する内側側部３２１よりも外側に位置している。
【００４２】
図１７から図２１までから理解されるように、外側部３４０の外側側部３５０の上端は、上下方向において、対応する内側部３２０よりも下方に位置している。即ち、外側側部３５０の上端は、上下方向において、対応する内側側部３２１の下端よりも下方に位置している。よって、第２ハウジング３００を左右方向外側から見た場合、内側側部３２１は視認可能となっている。
【００４３】
図１７から図２１までから理解されるように、外側部３４０の外側主部３５２の上端は、上下方向において、対応する内側部３２０の上端よりも上方に位置している。即ち、外側主部３５２の上端は、上下方向において対応する内側主部３２３の上端よりも上方に位置している。即ち、第２ハウジング３００を左右方向外側から見た場合、内側主部３２３は外側主部３５２に遮られて視認できない。更に、外側部３４０の外側主部３５２の上端は、上下方向において対応する内側部３２０の内側側部３２１の上端よりも上方に位置している。
【００４４】
図１７から図２１までに示されるように、本実施の形態の外側部３４０の夫々には、２つの外側被連結部３４２が設けられている。即ち、外側被連結部３４２と、内側被連結部３２２と、連結部３６０とは、第２ハウジング３００に設けられている。外側部３４０の２つの外側被連結部３４２には、２つの連結部３６０が夫々連結されている。より具体的には、外側被連結部３４２は、外側部３４０の外側側部３５０に設けられている。外側被連結部３４２は、外側側部３５０の上端の一部である。外側被連結部３４２と内側被連結部３２２とは、左右方向、即ち第２方向と直交する方向において、互いに離れて位置している。外側被連結部３４２は、上下方向、即ち第１方向において内側被連結部３２２よりも嵌合端１５２に近い。外側被連結部３４２は、上下方向、即ち第１方向において内側被連結部３２２の下方に位置している。
【００４５】
図１０から図１６までを参照すると、第１ハウジング２００の軸部２１０は、第２ハウジング３００の外側部３４０と夫々対応している。第１ハウジング２００の軸部２１０は、左右方向において第２ハウジング３００の対応する外側部３４０の内側に位置している。また、第１ハウジング２００の軸部２１０と、第２ハウジング３００の対応する外側部３４０の外側主部３５２とは、ＸＺ平面において、完全に重なっている。即ち、ハウジング１５０を左右方向外側から見た場合、第１ハウジング２００の軸部２１０は、第２ハウジング３００の対応する外側部３４０の外側主部３５２に遮られて視認できない。
【００４６】
図１７から図２１までに示されるように、本実施の形態の連結部３６０は、前後方向と直交する平面内において略Ｌ字状の断面を有している。本実施の形態の連結部３６０は、延設部３６２と、弾性変形可能なブリッジ部３６４を有している。
【００４７】
図１７から図２１までに示されるように、本実施の形態の延設部３６２は、上下方向と直交する平板形状を有している。延設部３６２は、外側被連結部３４２から左右方向、即ち第２方向において内側に向かって延びている。延設部３６２は、左右方向において内端を有している。
【００４８】
図１７から図２１までに示されるように、本実施の形態のブリッジ部３６４は、左右方向、即ち第２方向と交差する平板形状を有している。より詳しくは、本実施の形態のブリッジ部３６４は、左右方向と直交する平板形状を有しており、左右方向内側に向いた内面を有している。ブリッジ部３６４は、内側被連結部３２２から上下方向において下方に向かって延びている。ブリッジ部３６４は、左右方向、即ち第２方向において、外側部３４０から離れて且つ外側部３４０よりも内側に位置している。ブリッジ部３６４の下端は、延設部３６２の左右方向の内端と接続されている。ブリッジ部３６４は、延設部３６２と内側被連結部３２２とを互いに接続している。
【００４９】
図１７から図２１までに示されるように、外側部３４０と、対応する内側部３２０との間において、連結部３６０は外側被連結部３４２と内側被連結部３２２とを連結している。連結部３６０は外側側部３５０と夫々対応している。外側側部３５０と、対応する内側側部３２１とは、外側被連結部３４２と内側被連結部３２２とを介して対応する連結部３６０により連結されている。本実施の形態の４つの連結部３６０は、４つの外側被連結部３４２と４つの内側被連結部３２２とを夫々互いに連結している。
【００５０】
図１０から図１６までに示されるように、第２ハウジング３００の連結部３６０のブリッジ部３６４は、第１ハウジング２００のブリッジ部収容部２３０と夫々対応している。第２ハウジング３００の連結部３６０のブリッジ部３６４は、左右方向において、第１ハウジング２００の対応するブリッジ部収容部２３０と同じ位置に位置している。また、第２ハウジング３００の連結部３６０のブリッジ部３６４は、ＸＺ平面内において、第１ハウジング２００の対応するブリッジ部収容部２３０内に位置している。即ち、第２ハウジング３００の連結部３６０のブリッジ部３６４は、第１ハウジング２００の対応するブリッジ部収容部２３０に夫々収容されている。ブリッジ部３６４の左右方向内側に向いた内面は、対応するブリッジ部収容部２３０の左右方向外側に向いた内面と、左右方向において対向している。ブリッジ部３６４の前後方向の外端面は、対応するブリッジ部収容部２３０の前後方向外側の内壁と、前後方向において対向している。ブリッジ部３６４の前後方向の内端面は、対応するブリッジ部収容部２３０の前後方向内側の内壁と、前後方向において対向している。ブリッジ部３６４の下端は、対応するブリッジ部収容部２３０の下壁と、上下方向において対向している。
【００５１】
図１７及び図２１に示されるように、本実施の形態の第１部位３７０は、貫通孔である。より具体的には、本実施の形態の第１部位３７０は、左右方向において第２ハウジング３００を貫通する孔である。
【００５２】
図１７から図２１までを参照して、第１部位３７０は、外側部３４０及び内側部３２０と夫々対応している。第１部位３７０は、左右方向、即ち第２方向において対応する外側部３４０から離れて且つ対応する外側部３４０の内側に位置している。第１部位３７０は、左右方向において、対応する内側部３２０と同じ位置に位置している。第１部位３７０は、前後方向において連結部３６０の内側に位置している。即ち、第１部位３７０は、前後方向において、対応する内側部３２０に連結される２つの連結部３６０の間に位置している。また、第１部位３７０は、上下方向において、対応する内側部３２０の下方に位置している。即ち、第１部位３７０は、上下方向において、対応する内側部３２０の内側側部３２１の下方に位置している。第１部位３７０の前後方向における外縁は、連結部３６０のブリッジ部３６４の前後方向における内端面である。
【００５３】
図１０及び図１３を参照して、第２ハウジング３００の左側の第１部位３７０は、左右方向において、第１ハウジング２００の左側の２つの第１突出部２４０と同じ位置に位置している。また、第１ハウジング２００の左側の２つの第１突出部２４０は、ＸＺ平面内において、第２ハウジング３００の左側の第１部位３７０内に位置している。即ち、第１ハウジング２００の左側の２つの第１突出部２４０は、第２ハウジング３００の左側の第１部位３７０に収容されている。
【００５４】
同様に、第１ハウジング２００の右側の２つの第１突出部２４０は、左右方向において、第２ハウジング３００の右側の第１部位３７０と同じ位置に位置している。また、第１ハウジング２００の右側の２つの第１突出部２４０は、ＸＺ平面内において、第２ハウジング３００の右側の第１部位３７０内に位置している。即ち、第１ハウジング２００の右側の２つの第１突出部２４０は、第２ハウジング３００の右側の第１部位３７０に収容されている。
【００５５】
図１７及び図２１に示されるように、本実施の形態の第２部位３８０は、貫通孔である。より具体的には、本実施の形態の第２部位３８０は、左右方向において第２ハウジング３００を貫通する孔である。しかしながら本発明はこれに限定されず、第２部位３８０は、左右方向、即ち第２方向においてブリッジ部３６４の厚さよりも薄い厚さを有していてもよい。
【００５６】
図１７及び図２１に示されるように、本実施の形態の第２部位３８０は、左右方向、即ち第２方向において、外側部３４０から離れて且つ外側部３４０よりも内側に位置している。
【００５７】
図１７から図２１までを参照して、第２部位３８０は、内側側部３２１、連結部３６０及び接続部３９０と夫々対応している。第２部位３８０は、上下方向において、対応する内側側部３２１の下方に位置している。即ち、第２部位３８０の上縁は、対応する内側側部３２１の下端の一部である。第２部位３８０は、前後方向において対応する連結部３６０と対応する接続部３９０との間に位置している。即ち、前後方向において、第２部位３８０は、対応する連結部３６０の外側に位置しており、対応する接続部３９０の内側に位置している。第２部位３８０の前後方向における内縁は、対応する連結部３６０のブリッジ部３６４の前後方向における外端面である。第２部位３８０の前後方向における外縁は、対応する接続部３９０の前後方向における内端面である。
【００５８】
図１７及び図２１に示されるように、第１部位３７０、ブリッジ部３６４及び第２部位３８０は、左右方向において同じ位置に位置している。左右方向と直交する面内において、ブリッジ部３６４は、第１部位３７０と第２部位３８０との間に挟まれている。より詳しくは、前後方向において、ブリッジ部３６４は、第１部位３７０と第２部位３８０との間に挟まれている。即ち、前後方向において、ブリッジ部３６４は、第１部位３７０よりも外側に位置しており、第２部位３８０よりも内側に位置している。第２部位３８０は、前後方向においてブリッジ部３６４と接続部３９０との間に位置している。即ち、前後方向において、第２部位３８０は、ブリッジ部３６４よりも外側に位置しており、接続部３９０よりも内側に位置している。
【００５９】
図１０から図１６までから理解されるように、前後方向、即ち第３方向において、第１部位３７０は、第２部位３８０よりも、第１ハウジング２００の軸部２１０に近い。即ち、前後方向において、第１部位３７０と軸部２１０との距離は、第２部位３８０と軸部２１０との距離より小さい。第１部位３７０及び第２部位３８０は、左右方向と直交する面内において、互いに離れて位置している。
【００６０】
図１０及び図１３を参照して、第２ハウジング３００の第２部位３８０は、第１ハウジング２００の第２突出部２５０と夫々対応している。第２ハウジング３００の第２部位３８０は、左右方向において、第１ハウジング２００の対応する第２突出部２５０と同じ位置に位置している。また、第１ハウジング２００の第２突出部２５０は、ＸＺ平面内において、第２ハウジング３００の対応する第２部位３８０内に位置している。即ち、第１ハウジング２００の第２突出部２５０の夫々は、第２ハウジング３００の対応する第２部位３８０に収容されている。
【００６１】
図１７及び図２１に示されるように、本実施の形態の接続部３９０は、内側側部３２１及び外側側部３５０と夫々対応している。４つの接続部３９０は、左側に位置する２つの接続部３９０と、右側に位置する２つの接続部３９０とに分かれる。左側の２つの接続部３９０は、第２ハウジング３００の前後方向両端に位置している。右側の２つの接続部３９０は、第２ハウジング３００の前後方向両端に位置している。接続部３９０は、上下方向において、対応する内側側部３２１と、対応する外側側部３５０との間に位置している。即ち、上下方向において、接続部３９０は、対応する内側側部３２１の下方に位置しており、対応する外側側部３５０の上方に位置している。接続部３９０の上端は、対応する内側側部３２１の前後方向の外端部の下端に接続されている。
【００６２】
図１７から図２１までに示されるように、本実施の形態の連携部３９５は、上下方向と直交する平板形状を有している。連携部３９５は、延設部３６２と接続部３９０とを接続している。即ち、連携部３９５は、延設部３６２の前後方向外端と、接続部３９０の下端とを接続している。また、連携部３９５は、接続部３９０と外側側部３５０とを接続している。即ち、連携部３９５は、接続部３９０の下端と外側側部３５０と上端とを接続している。連携部３９５と延設部３６２とは、上下方向において互いに同じ位置に位置している。第２部位３８０と連携部３９５とは、夫々対応しており、第２部位３８０は、上下方向において対応する連携部３９５の上方に位置している。即ち、第２部位３８０の下縁は、対応する連携部３９５の上端である。
【００６３】
図１７から図２１までに示されるように、本実施の形態の側壁４３０，４４０は、ＹＺ平面内に延びている。側壁４３０は、第２ハウジング３００の前端に位置している。側壁４３０は、左側に位置し且つ前側に位置する接続部３９０と、右側に位置し且つ前側に位置する接続部３９０とを連結している。側壁４４０は、第２ハウジング３００の後端に位置している。側壁４３０は、左側に位置し且つ後側に位置する接続部３９０と、右側に位置し且つ後側に位置する接続部３９０とを連結している。
【００６４】
図１７から図２０までに示されるように、左右方向、即ち第２方向における外側部３４０と内側部３２０との間には、レバー５００を部分的に収容するレバー収容部４００が形成されている。即ち、レバー収容部４００は、左右方向における、外側部３４０と、対応する内側部３２０との間に形成されている。本実施の形態のレバー収容部４００の夫々は、前後方向に延びる空間である。レバー収容部４００は、第２ハウジング３００の左右方向両端近傍に夫々位置している。レバー収容部４００は、外側部３４０及び内側部３２０と夫々対応している。レバー収容部４００の夫々は、左右方向において、対応する外側部３４０と、対応する内側部３２０との間に位置している。即ち、左右方向において、レバー収容部４００の夫々は、対応する外側部３４０の内側に位置しており、また、対応する内側部３２０の外側に位置している。レバー収容部４００の夫々は、前後方向、即ち第３方向において、連結部３６０の間に位置している。即ち、レバー収容部４００の夫々は、前後方向において、対応する外側部３４０と連結される２つの連結部３６０の間に位置している。
【００６５】
図１０から図１６までを参照すると、レバー収容部４００の夫々は、左右方向、即ち第２方向において第１ハウジング２００と第２ハウジング３００との間に設けられている。レバー収容部４００は、ハウジング１５０の左右方向両端近傍に夫々位置している。レバー収容部４００の一つは、左右方向において、第１ハウジング２００の左側の面と第２ハウジング３００の左側の外側部３４０の外側主部３５２との間に設けられている。レバー収容部４００の残りの一つは、左右方向において、第１ハウジング２００の右側の面と第２ハウジング３００の右側の外側部３４０の外側主部３５２との間に設けられている。ハウジング１５０の第１ハウジング２００の２つの軸部２１０は、レバー収容部４００内に夫々位置している。
【００６６】
図１７、１８及び図２０に示されるように、本実施の形態のスライダ収容部４２０は、前後方向に延びる空間である。スライダ収容部４２０は、左右方向において外側部３４０と内側部３２０との間に位置している。即ち、左右方向において、スライダ収容部４２０は、外側部３４０の内側に位置しており、内側部３２０の外側に位置している。また、スライダ収容部４２０は、上下方向においてレバー収容部４００の下方に夫々位置している。
【００６７】
図１４及び図２２を参照すると、本実施の形態の端子６００は、導電体からなるものであり、ハウジング１５０の第１ハウジング２００の端子収容部２２０に、夫々収容及び保持されている。即ち、本実施の形態の第１ハウジング２００は、複数の端子６００を保持している。本実施の形態の端子６００は、コネクタ１００と相手側コネクタ７００とが嵌合した際に相手側コネクタ７００の相手側端子７２０と夫々接続されるものである。
【００６８】
図１から図４までに示されるように、本実施の形態のレバー５００は、ハウジング１５０に取り付けられている。具体的な取付方法については後述する。
【００６９】
図２４及び図２５に示されるように、本実施の形態のレバー５００は、アーム５４０と、２つの歯車部５０５とを有している。図示された状態のレバー５００において、アーム５４０は、上下方向に沿って見た場合、略Ｕ字形状を有しており、歯車部５０５はアーム５４０の前端に夫々設けられている。
【００７０】
図２４及び図２５に示されるように、本実施の形態の歯車部５０５は、外周部５３０と、軸受部５１０と、軸ガイド部５２０と、複数の歯５３５とを有している。
【００７１】
図２４及び図２５に示されるように、本実施の形態の外周部５３０は、左右方向と直交する方向において歯車部５０５の外周を規定している。
【００７２】
図２４及び図２５に示されるように、本実施の形態の軸受部５１０は、左右方向、即ち第２方向に凹んでいる。より詳しくは、本実施の形態の軸受部５１０は、左右方向と平行な中心軸を有しており、左右方向外側に凹んでいる。歯車部５０５の２つの軸受部５１０の中心軸は、互いに一致している。軸受部５１０は、左右方向、即ち第２方向と直交する方向において外周部５３０から離れて位置している。軸受部５１０は、ハウジング１５０の第１ハウジング２００の軸部２１０を受容している。より詳しくは、レバー５００の歯車部５０５の軸受部５１０は、ハウジング１５０の第１ハウジング２００の軸部２１０と夫々対応しており、軸受部５１０は、対応する軸部２１０を受容している。
【００７３】
図２４及び図２５に示されるように、本実施の形態の軸ガイド部５２０は、左右方向、即ち第２方向と直交する方向においてレバー５００の外周部５３０から軸受部５１０まで延びる溝である。軸ガイド部５２０は、左右方向、即ち第２方向と直交する平面と交差するガイド面５２２を有している。より具体的には、図示された軸ガイド部５２０のガイド面５２２は、上方且つ左右方向内側に傾斜している。
【００７４】
図４、図６及び図１４から図１６までを参照すると、本実施の形態のスライダ６２０の夫々は、前後方向に延び且つ左右方向と直交する平板形状を有している。スライダ６２０は、ラック６２１と、３つのカム溝（図示せず）とを有している。スライダ６２０は、第２ハウジング３００のスライダ収容部４２０に夫々収容されている。スライダ６２０は、レバー５００の歯車部５０５と夫々対応している。スライダ６２０のラック６２１とレバー５００の対応する歯車部５０５の歯５３５とは、互いに噛み合うことにより、レバー５００の回転をスライダ６２０の前後方向の移動に変換する。スライダ６２０のカム溝は、コネクタ１００と相手側コネクタ７００とが嵌合する際に相手側コネクタ７００の３つのカム突起７１０を夫々収容する。
【００７５】
図１から図３までに示されるように、本実施の形態のカバー６５０は、後側に開口部６５２を有している。カバー６５０は、上下方向においてハウジング１５０の上方に位置しており、ハウジング１５０に取り付けられている。
【００７６】
レバー５００のハウジング１５０への取付は、以下のように行われる。
【００７７】
図２４から図２９までを参照して、まずレバー５００の歯車部５０５の軸受部５１０と、ハウジング１５０の第１ハウジング２００の対応する軸部２１０とが、上下方向と平行な同一直線上に位置するように、レバー５００をハウジング１５０に対して位置合わせして、図２６及び図２７に示される状態とする。その後、レバー５００をハウジング１５０に対して下方に動かすと、図２８及び図２９に示される状態となる。
【００７８】
このとき、図２９に示されるように、レバー５００の歯車部５０５の軸ガイド部５２０のガイド面５２２と、ハウジング１５０の第１ハウジング２００の対応する軸部２１０とは、上下方向において接触している。
【００７９】
この状態において、レバー５００を更に下方に押し下げると、軸部２１０によりレバー５００の対応する歯車部５０５が左右方向外側に押圧される。このとき、レバー５００のアーム５４０は、前端が左右方向外側に広がるように変形し、また、ハウジング１５０の第２ハウジング３００の外側部３４０の外側主部３５２は、左右方向外側に撓む。外側部３４０の外側主部３５２の左右方向外側への撓みに伴い、外側側部３５０の前後方向内端が左右方向外側に引っ張られて、ブリッジ部３６４の下端は左右方向外側に移動する。
【００８０】
ここで、上述のように、第２ハウジング３００の連結部３６０のブリッジ部３６４は、左右方向、即ち第２方向と直交する面内において第１部位３７０と第２部位３８０との間に挟まれている。これにより、左右方向と直交する面内において、ブリッジ部３６４が第２ハウジング３００と強固に連結されている場合と比較して、ブリッジ部３６４の左右方向外側への弾性変形は、より許容されており、レバー５００をハウジング１５０により組み込みやすくなっている。特に、第２部位３８０が貫通孔である場合、第２部位３８０が左右方向においてブリッジ部３６４の厚さよりも薄い厚さを有している場合と比較して、ブリッジ部３６４の左右方向外側への弾性変形は、更に許容されており、レバー５００をハウジング１５０に更に組み込みやすくなっている。
【００８１】
その後、レバー５００の下方への押し下げをさらに継続し、レバー５００の歯車部５０５の軸受部５１０の下端と対応する軸部２１０の下端とが上下方向において同じ位置となると、レバー５００の歯車部５０５の軸受部５１０に、対応する軸部２１０が収容される。このとき、レバー５００のアーム５４０及びハウジング１５０の第２ハウジング３００の外側部３４０の外側主部３５２は、夫々元の形状に復帰する。即ち、レバー５００とハウジング１５０とは、図４に示される位置関係となる。
【００８２】
ここで、上述のように、レバー５００の軸ガイド部５２０のガイド面５２２は、左右方向内側に傾斜している、即ち、左右方向において、レバー５００のハウジング１５０への挿入開始時においてレバー５００の歯車部５０５が要する変位量よりも、レバー５００の組み込み完了後においてレバー５００をハウジング１５０から外す際にレバー５００の歯車部５０５が要する変位量の方が、大きくなっている。これにより、本実施の形態のコネクタ１００においては、レバー５００の組み込み完了後においてレバー５００がハウジング１５０から外れにくくなっている。
【００８３】
図１、図４、図９及び図２９を参照すると、上述のように、レバー５００がハウジング１５０に取り付けられることにより、軸部２１０は、レバー５００を、回転移動可能となるように支持している。より具体的には、レバー５００は、ハウジング１５０に対して、第２位置から第１位置を経由して第３位置まで回転移動可能となっており、同様に第３位置から第１位置を経由して第２位置まで回転移動可能となっている。
【００８４】
ハウジング１５０の構成は、上述したものには限定されず、例えば、以下のような変形が可能である。
【００８５】
図３０を参照すると、本発明の変形例によるハウジング１５０Ａは、絶縁体からなるものである。具体的には、本実施の形態のハウジング１５０Ａは、第１ハウジング２００と、第２ハウジング３００Ａとを有している。ここで、本変形例の第１ハウジング２００は、上述の実施の形態のものと同様であるので、詳細な説明は省略する。
【００８６】
図３０を参照すると、本変形例の第２ハウジング３００Ａは、天板部３１０と、２つの内側部３２０と、２つの外側部３４０Ａと、４つの連結部３６０と、２つの第１部位３７０と、４つの第２部位３８０と、４つの接続部３９０と、４つの連携部３９５と、側壁４３０，４４０と、２つのレバー収容部４００と、２つのスライダ収容部４２０とを有している。ここで、外側部３４０Ａ以外の部分については、上述の実施の形態のものと同様であるので、詳細な説明は省略する。
【００８７】
図３０に示されるように、本変形の外側部３４０Ａは、２つの外側側部３５０Ａと、外側主部３５２Ａとを有している。また、本変形例の外側部３４０Ａには、溝部３４４が設けられている。本変形例の外側部３４０Ａは、溝部３４４が設けられている他は、上述の実施の形態の外側部３４０と同じ構造を有している。よって、溝部３４４以外の部分についての説明は省略する。
【００８８】
図３０に示されるように、本変形例の溝部３４４は、上下方向、即ち第１方向と交差するように延びている。より詳しくは、溝部３４４は、前後方向に延びており、外側主部３５２Ａを横断して外側側部３５０Ａに達している。また、溝部３４４は、左右方向、即ち第２方向において外側部３４０Ａを貫通している。図２、図２３及び図３０を参照すると、溝部３４４は、上下方向、即ち第１方向において嵌合端１５２と軸部２１０との間に位置している。より詳しくは、溝部３４４は、上下方向において外側側部３５０Ａの下端と上端との間に位置している。
【００８９】
図３０を参照すると、本変形例のハウジング１５０Ａを組み込んだコネクタ（図示せず）の製造工程において、レバー５００をハウジング１５０Ａに取り付ける場合、上述の実施の形態のハウジング１５０と比較して、外側部３４０Ａにおける溝部３４４より上方の部分の左右方向外側への変形をより大きく確保できる。よって、レバー５００のハウジング１５０Ａへの組み込みが、より容易となる。
【００９０】
以上、本発明について、複数の実施の形態を掲げて具体的に説明してきたが、本発明はこれに限定されるわけではなく、種々の変形が可能である。
【００９１】
本実施の形態の外側部３４０，３４０Ａは、４つの外側被連結部３４２を有していたが、本発明はこれに限定されない。即ち、外側部３４０，３４０Ａには、少なくとも一つの外側被連結部３４２が設けられていればよい。
【００９２】
本実施の形態の内側部３２０は、４つの内側被連結部３２２を有していたが、本発明はこれに限定されない。即ち、内側部３２０には、少なくとも一つの内側被連結部３２２が設けられていればよい。
【００９３】
本実施の形態のコネクタ１００のハウジング１５０，１５０Ａは、４つの連結部３６０を有していたが、本発明はこれに限定されない。即ち、ハウジング１５０，１５０Ａは、少なくとも一つの連結部３６０を有していればよく、また、少なくとも一つの連結部３６０は、少なくとも一つの外側被連結部３４２と少なくとも一つの内側被連結部３２２とを互いに連結していればよい。
【符号の説明】
【００９４】
１００              コネクタ
１５０，１５０Ａ    ハウジング
１５２              底部（嵌合端）
２００              第１ハウジング
２１０              軸部
２２０              端子収容部
２３０              ブリッジ部収容部
２４０              第１突出部
２５０              第２突出部
２６０              突起
２６１              突起
３００              第２ハウジング
３１０              天板部
３１２              孔
３２０              内側部
３２１              内側側部
３２２              内側被連結部
３２３              内側主部
３４０，３４０Ａ    外側部
３４２              外側被連結部
３４４              溝部
３５０，３５０Ａ    外側側部
３５２，３５２Ａ    外側主部
３６０              連結部
３６２              延設部
３６４              ブリッジ部
３７０              第１部位（貫通孔）
３８０              第２部位（貫通孔）
３９０              接続部
３９５              連携部
４００              レバー収容部
４２０              スライダ収容部
４３０              側壁
４４０              側壁
５００              レバー
５０５              歯車部
５１０              軸受部
５２０              軸ガイド部
５２２              ガイド面
５３０              外周部
５３５              歯
５４０              アーム
６００              端子
６２０              スライダ
６２１              ラック
６５０              カバー
６５２              開口部
７００              相手側コネクタ
７１０              カム突起
７２０              相手側端子
【図１】
2019016445.tif 000003
【図２】
2019016445.tif 000004
【図３】
2019016445.tif 000005
【図４】
2019016445.tif 000006
【図５】
2019016445.tif 000007
【図６】
2019016445.tif 000008
【図７】
2019016445.tif 000009
【図８】
2019016445.tif 000010
【図９】
2019016445.tif 000011
【図１０】
2019016445.tif 000012
【図１１】
2019016445.tif 000013
【図１２】
2019016445.tif 000014
【図１３】
2019016445.tif 000015
【図１４】
2019016445.tif 000016
【図１５】
2019016445.tif 000017
【図１６】
2019016445.tif 000018
【図１７】
2019016445.tif 000019
【図１８】
2019016445.tif 000020
【図１９】
2019016445.tif 000021
【図２０】
2019016445.tif 000022
【図２１】
2019016445.tif 000023
【図２２】
2019016445.tif 000024
【図２３】
2019016445.tif 000025
【図２４】
2019016445.tif 000026
【図２５】
2019016445.tif 000027
【図２６】
2019016445.tif 000028
【図２７】
2019016445.tif 000029
【図２８】
2019016445.tif 000030
【図２９】
2019016445.tif 000031
【図３０】
2019016445.tif 000032
【図３１】
2019016445.tif 000033
【図３２】
2019016445.tif 000034